(57)【要約】【課題】  低コストで容易に著作物を特定し、コンテンツの内容証明を行う。【解決手段】  コンテンツサーバから取得してクライアントに送信したコンテンツの内容証明を、クライアントからの要求に応じて行うウェブサーバのコンテンツの内容証明方法において、クライアントからの要求に応じて、ウェブサーバが取得したコンテンツの構成部品を抽出するステップ（Ｓ５０１）と、ウェブサーバが、ステップＳ５０１で抽出された構成部品が、コンテンツサーバに格納された複数のバリエーションに存在するか否かをチェックするステップ（Ｓ５０２）と、ウェブサーバが、抽出された構成部品の組合せが、送信した複数のバリエーションの組合せか否かをチェックするステップ（Ｓ５０４）とを備えた。【選択図】  図５
2005141573.tif 000002
【特許請求の範囲】
【請求項１】
コンテンツサーバから取得してクライアントに送信したコンテンツの内容証明を、前記クライアントからの要求に応じて行うウェブサーバのコンテンツの内容証明方法において、
前記コンテンツサーバが、前記コンテンツを構成する構成部品の属性の一部を変更して複数のバリエーションを作成して格納する第１ステップと、
前記ウェブサーバが、前記コンテンツサーバから前記複数のバリエーションが組み合わされて構成されたコンテンツを、前記クライアントに送信する第２ステップと、
前記クライアントからの要求に応じて、前記ウェブサーバが取得したコンテンツの構成部品を抽出する第３ステップと、
前記ウェブサーバが、前記第３ステップで抽出された構成部品が、前記コンテンツサーバに格納された前記複数のバリエーションに存在するか否かをチェックする第４ステップと、
前記ウェブサーバが、前記抽出された構成部品の組合せが、前記第２ステップで送信した前記複数のバリエーションの組合せか否かをチェックする第５ステップと
を備えたことを特徴とするコンテンツの内容証明方法。
【請求項２】
前記第１ステップは、前記コンテンツサーバが、前記複数のバリエーションの組合せごとにＩＤを付与して格納し、
前記第２ステップは、前記ウェブサーバが、所定の規則に基づいて発行されたＩＤに基づいて、前記複数のバリエーションの組合せを取得してコンテンツを構成する
ことを特徴とする請求項１に記載のコンテンツの内容証明方法。
【請求項３】
前記第２ステップは、前記ＩＤと送信日時とを記録し、
前記第５ステップは、前記第２ステップで送信したコンテンツの送信日時を特定する
ことを特徴とする請求項２に記載のコンテンツの内容証明方法。
【請求項４】
ウェブサーバを介してコンテンツを供給するコンテンツサーバのコンテンツの生成方法において、
前記コンテンツサーバが、前記コンテンツを構成する構成部品の属性の一部を変更して複数のバリエーションを作成するステップと、
前記コンテンツサーバが、前記複数のバリエーションの組合せごとにＩＤを付与するステップと、
前記ウェブサーバからの前記ＩＤを含むコンテンツ要求を受信して、前記コンテンツサーバが、前記ＩＤに対応する前記複数のバリエーションの組合せを、前記ウェブサーバに送信するステップと
を備えたことを特徴とするコンテンツの生成方法。
【請求項５】
クライアントからの要求に応じて、コンテンツサーバからコンテンツを取得して前記クライアントに送信するウェブサーバのコンテンツ配信方法において、
前記コンテンツサーバが、前記コンテンツを構成する構成部品の属性の一部を変更して複数のバリエーションを作成し、該複数のバリエーションの組合せごとにＩＤを付与して格納する第１ステップと、
前記ウェブサーバが、前記クライアントからの要求に応じて、所定の規則に基づいてＩＤを発行する第２ステップと、
前記ウェブサーバが、前記コンテンツサーバから前記第２ステップで発行されたＩＤに対応する前記複数のバリエーションの組合せを取得して、前記クライアントに送信する第３ステップと
を備えたことを特徴とするコンテンツの配信方法。
【発明の詳細な説明】
【技術分野】
【０００１】
本発明は、コンテンツの内容証明方法、生成方法および配信方法に関し、より詳細には、ウェブサーバから配信されるコンテンツの内容を特定し、内容証明を行うことができるコンテンツの内容証明方法、生成方法および配信方法に関する。
【背景技術】
【０００２】
近年、インターネットなどのネットワークを介して、デジタル信号に変換された音楽、映像などのコンテンツが流通している。デジタル信号に変換された音楽などの不正使用を防止するために、原信号であるデジタル信号に、特殊な信号を重畳することが行われている。このような特殊な信号を「電子すかし」という。電子すかしとして埋め込まれる情報は、例えば、著作権者または著作者を特定することができる著作権情報である。例えば、不正な複製が行われても、電子すかしを検出することにより、著作権者または著作者を特定することができ、正当な権利を主張することができる。
【０００３】
電子すかしは、音質や画質を劣化させないように原信号に重畳するので、通常の復号器により復号すると、人間の聴覚・視覚によっては、ほとんど感知することができない。電子すかしがどの部分に重畳されているかは分からず、たとえ分かったとしても、電子すかしを書き換えると、再生された音質や画質を劣化させる。電子すかしが重畳されたデジタル信号は、検査用の復号器により、暗号化された情報を使って、電子すかしが重畳された部分を特定し、電子すかし情報を読み出すことができる。電子すかしを重畳する方法は、例えば、特許文献１に開示されている。
【０００４】
一方、ウェブサイトに掲載される情報量も年々増大しており、流通目的でなくホームページ上に掲載されている画像、テキストについても、コンテンツとしてダウンロードして不正利用することが行われている。従って、ホームページ上に掲載されている画像、テキストについても著作権保護の要求が高まっている。
【０００５】
【特許文献１】特開平１０−２２４３４２号公報
【発明の開示】
【発明が解決しようとする課題】
【０００６】
しかしながら、電子すかしは、デジタル信号処理技術を駆使して、高度な演算処理により原信号に埋め込まれる。また、電子すかしの復号には、専用の復号器を使用して電子すかし情報を読み出さなければならない。従って、著作物の特定が容易であるものの、電子すかしの埋め込み、読出しのためのシステムにコストがかかる。流通目的でないホームページ上のコンテンツにも電子すかしを適用することは、費用対効果の点で実用的ではないという問題があった。
【０００７】
本発明は、このような問題に鑑みてなされたもので、その目的とするところは、低コストで容易に著作物を特定することができ、コンテンツの内容証明を行うことができるコンテンツの内容証明方法、生成方法および配信方法を提供することにある。
【課題を解決するための手段】
【０００８】
本発明は、このような目的を達成するために、請求項１に記載の発明は、コンテンツサーバから取得してクライアントに送信したコンテンツの内容証明を、前記クライアントからの要求に応じて行うウェブサーバのコンテンツの内容証明方法において、前記コンテンツサーバが、前記コンテンツを構成する構成部品の属性の一部を変更して複数のバリエーションを作成して格納する第１ステップと、前記ウェブサーバが、前記コンテンツサーバから前記複数のバリエーションが組み合わされて構成されたコンテンツを、前記クライアントに送信する第２ステップと、前記クライアントからの要求に応じて、前記ウェブサーバが取得したコンテンツの構成部品を抽出する第３ステップと、前記ウェブサーバが、前記第３ステップで抽出された構成部品が、前記コンテンツサーバに格納された前記複数のバリエーションに存在するか否かをチェックする第４ステップと、前記ウェブサーバが、前記抽出された構成部品の組合せが、前記第２ステップで送信した前記複数のバリエーションの組合せか否かをチェックする第５ステップとを備えたことを特徴とする。
【０００９】
請求項２に記載の発明は、請求項１に記載のコンテンツの内容証明方法において、前記第１ステップは、前記コンテンツサーバが、前記複数のバリエーションの組合せごとにＩＤを付与して格納し、前記第２ステップは、前記ウェブサーバが、所定の規則に基づいて発行されたＩＤに基づいて、前記複数のバリエーションの組合せを取得してコンテンツを構成することを特徴とする。
【００１０】
請求項３に記載の発明は、請求項２に記載のコンテンツの内容証明方法において、前記第２ステップは、前記ＩＤと送信日時とを記録し、前記第５ステップは、前記第２ステップで送信したコンテンツの送信日時を特定することを特徴とする。
【００１１】
請求項４に記載の発明は、ウェブサーバを介してコンテンツを供給するコンテンツサーバのコンテンツの生成方法において、前記コンテンツサーバが、前記コンテンツを構成する構成部品の属性の一部を変更して複数のバリエーションを作成するステップと、前記コンテンツサーバが、前記複数のバリエーションの組合せごとにＩＤを付与するステップと、前記ウェブサーバからの前記ＩＤを含むコンテンツ要求を受信して、前記コンテンツサーバが、前記ＩＤに対応する前記複数のバリエーションの組合せを、前記ウェブサーバに送信するステップとを備えたことを特徴とする。
【００１２】
請求項５に記載の発明は、クライアントからの要求に応じて、コンテンツサーバからコンテンツを取得して前記クライアントに送信するウェブサーバのコンテンツ配信方法において、前記コンテンツサーバが、前記コンテンツを構成する構成部品の属性の一部を変更して複数のバリエーションを作成し、該複数のバリエーションの組合せごとにＩＤを付与して格納する第１ステップと、前記ウェブサーバが、前記クライアントからの要求に応じて、所定の規則に基づいてＩＤを発行する第２ステップと、前記ウェブサーバが、前記コンテンツサーバから前記第２ステップで発行されたＩＤに対応する前記複数のバリエーションの組合せを取得して、前記クライアントに送信する第３ステップとを備えたことを特徴とする。
【発明の効果】
【００１３】
以上説明したように、本発明によれば、コンテンツを構成する構成部品のバリエーションにより、容易にコンテンツを特定することができるので、低コストで容易に著作物を特定することができ、コンテンツの内容証明を行うことが可能となる。
【発明を実施するための最良の形態】
【００１４】
以下、図面を参照しながら本発明の実施形態について詳細に説明する。本発明は、ホームページ上のコンテンツを構成する個々の構成部品について、様々なバリエーションを作成し、バリエーションの組み合わせによりコンテンツを生成する。したがって、バリエーションの組み合わせによりコンテンツを特定することができ、内容証明を行うことができる。
【００１５】
図１に、本発明の一実施形態にかかるコンテンツ流通システムを示す。インターネットなどのネットワーク１１を介して、クライアントコンピュータ１２ａ〜１２ｃとウェブサーバ１３とが接続されている。ウェブサーバ１３には、コンテンツサーバ１４が接続されており、コンテンツデータベース１５に格納された様々なコンテンツを、ウェブサーバ１３を介して配信することができる。
【００１６】
なお、本発明の機能を説明し易いように、ウェブサーバ１３とコンテンツサーバ１４とに分けて説明する。これら２つのサーバとコンテンツデータベース１５とを、１つのサーバコンピュータに置き換え、サーバコンピュータ内の２つの処理手段と記憶手段として動作させることもできる。
【００１７】
図２に、本発明の一実施形態にかかるコンテンツサーバの機能を示す。コンテンツサーバ１４は、コンテンツデータベース１５に格納されたホームページ上のコンテンツ２１に対して、コンテンツバリエーション生成処理２２を行う。具体的には、コンテンツ２１を構成する個々の構成部品を、例えば、文字、静止画、動画および音声に分け、個々の構成部品について、その属性を変更してバリエーションを作成する（２３〜２６）。
【００１８】
図３に、ホームページ上の一例を示す。ホームページ３１は、例えば、ニュース配信のウェブサイトに掲載されており、図３（ａ）は、社会面の記事３２すなわちコンテンツを表示している。記事３２は、写真１，２と記事本体の文章であるテキスト１，２とから構成されている。
【００１９】
ここで、コンテンツサーバ１４は、文字変換処理部２３でテキスト１，２のバリエーションを作成し、静止画変換処理部２４で写真１，２のバリエーションを作成する。文字変換処理部２３は、例えばテキスト１について、構成部品の属性の一部である１行に表示する文字数を変えてバリエーションを作成する。図３（ｂ）の表に示したように、２０〜２６文字の７種類のバリエーションを作成する。
【００２０】
静止画変換処理部２４は、例えば写真１について、構成部品の属性の一部である縦横のドット数を変えてバリエーションを作成する。ここでは、写真１，２それぞれについて７種類のバリエーションを作成する。バリエーションは、例えば、縦８０×横４０ドットの画像の周辺部を削除してもよいし、圧縮処理を行ってもよい。
【００２１】
動画変換処理部２５は、例えば、動画の末尾のフレームのいくつかを削除して、再生時間の異なるバリエーションを作成する。静止画と同様に、縦横のドット数を変えてバリエーションを作成してもよい。音声変換処理部２６は、無音声区間の一部を削除して、再生時間の異なるバリエーションを作成したり、再生レベルの異なるバリエーションを作成することもできる。
【００２２】
このようにして作成された構成部品のバリエーションを、再びコンテンツデータベース１５に格納しておく（２７〜３０）。また、コンテンツの構成部品ごとに、どのようなバリエーションを作成したのか、変換内容ファイル３１に記録しておく。上述したように、構成部品の数３、それぞれのバリエーションの数７とすると、その組み合わせは７３＝３４３となる。したがって、それぞれの組み合わせについてＩＤ番号を付与して、変換内容ファイル３１に記録しておく。
【００２３】
図４に、本発明の一実施形態にかかるウェブサーバの機能を示す。上述したホームページ３１上のコンテンツである記事３２を、どのように配信するかについて説明する。ユーザが、クライアントコンピュータ１２からウェブサーバ１３にアクセスして、記事３２のＨＴＭＬ要求を送信すると、ウェブサーバ１３は、ＨＴＭＬ生成処理４１を起動する。最初に、ＩＤ要求により組合わせ切替指示処理４２が起動して、ＩＤを発行する。組合わせ切替指示とは、上述した構成部品のバリエーションの組み合わせを、どのように切り替えて表示するかを指示することである。
【００２４】
上述した３４３通りの組み合わせを、所定の規則に従って配信する。例えば、バリエーションの組み合わせを１５分毎に切り替えることとする。１日９６通りで、３日間２８８通りの組み合わせを使用する。そこで、それぞれの組み合わせをどの時間帯に使用するかを、ＩＤ番号によって特定しておく。ＨＴＭＬ生成処理４１は、クライアントコンピュータ１２からのＨＴＭＬ要求を受信した時刻に応じて、対応するＩＤ番号を取得して、コンテンツサーバ１４にコンテンツを要求する。なお、組合わせ切替指示は、セッション毎に切替えてもよいし、時間とセッションとを組合わせて切替えてもよい。
【００２５】
コンテンツサーバ１４は、コンテンツ要求に含まれるＩＤ番号に基づいて、変換内容ファイル３１を参照し、バリエーションの組み合わせを特定する。コンテンツサーバ１４は、必要な構成部品をコンテンツデータベース１５から読み出して、コンテンツを構成し、ウェブサーバ１３に送信する。ウェブサーバ１３は、取得したコンテンツからＨＴＭＬを生成し、クライアントコンピュータ１２に送信する。このとき、ウェブサーバ１３は、ＩＤ番号、送信時刻、バリエーションの組合せ内容などをＨＰ生成組合わせファイル４３に記録しておく。
【００２６】
図５に、本発明の一実施形態にかかる内容証明の方法を示す。次に、コンテンツがウェブサーバ１３から送信された正規のコンテンツであることを証明する方法を説明する。例えば、ユーザがウェブサーバ１３のホームページ上に記載されたクーポンを組合わせＨＴＭＬとして取得し、そのクーポンを、ウェブサーバ１３を介して電子商店で使用する場合を例にして説明する。最初に、ウェブサーバ１３は、受信した組合わせＨＴＭＬの中からクーポンの構成部品を抽出する（Ｓ５０１）。
【００２７】
各構成部品の属性を検査して、その結果をコンテンツサーバ１４に問い合わせる（Ｓ５０２）。例えば、静止画であるクーポンの特定の図柄について、縦横ドット数を調べて問い合わせる。コンテンツサーバ１４は、変換内容ファイル３１を参照して、該当する縦横ドット数のバリエーションが存在するか否か検索し、その結果をウェブサーバ１３に送信する。このようにして、ウェブサーバ１３は、クーポンに含まれる全ての構成部品について、そのバリエーションが存在するか否かを調べる。存在する場合には（Ｓ５０３）、ウェブサーバ１３は、ＨＰ生成組合わせファイル４３を参照して、バリエーションの組合せが存在するか否かを検索する（Ｓ５０４）。
【００２８】
存在する場合には（Ｓ５０５）、正規のクーポンであるとして、電子商店での使用を許可する（Ｓ５０６）。構成部品が存在しない場合、またはバリエーションの組合せが存在しない場合には、クーポンの使用を拒否する（Ｓ５０７）。なお、上述したように、ＨＰ生成組合わせファイル４３に、ＩＤ番号とともに送信日時を記録しておけば、クーポンの発行日時を特定することもでき、コンテンツの発行証明を行うこともできる。
【００２９】
本実施形態によれば、電子すかしの復号に必要な復号器などの複雑な装置を必要とせず、判別の容易な構成部品のバリエーションにより、容易にコンテンツを特定することができ、内容証明を行うことができる。
【産業上の利用可能性】
【００３０】
ウェブサイトに掲載されるホームページ上のコンテンツの著作権保護、電子的なチケット、商品券などの認証、その他ウェブサイトから発行する電子データの内容証明に適用することができる。
【図面の簡単な説明】
【００３１】
【図１】本発明の一実施形態にかかるコンテンツ流通システムを示す構成図である。
【図２】本発明の一実施形態にかかるコンテンツサーバの機能を示すブロック図である。
【図３】ホームページ上のコンテンツと構成部品のバリエーションを示す図である。
【図４】本発明の一実施形態にかかるウェブサーバの機能を示すブロック図である。
【図５】本発明の一実施形態にかかる内容証明の方法を示すフローチャートである。
【符号の説明】
【００３２】
１１    ネットワーク
１２ａ〜１２ｃ    クライアントコンピュータ
１３    ウェブサーバ
１４    コンテンツサーバ
１５    コンテンツデータベース
【図１】
2005141573.tif 000003
【図２】
2005141573.tif 000004
【図３】
2005141573.tif 000005
【図４】
2005141573.tif 000006
【図５】
2005141573.tif 000007